(57)【要約】【課題】ミミズなどを、手指に触れることなく、容易に釣り針に付ける手段を提供する。【解決手段】釣餌取付具１は、先端側に第一挟持部２３と釣針ガイドとを有する第一挟持部材２と、第一挟持部材２と基端２ａ側を軸にして開閉可能に接続され、先端２ｂ側に第二挟持部２３が形成された第二挟持部材３と、第一挟持部材２と第二挟持部材３との間に配置されて、第一挟持部２３及び第二挟持部３３に挟持された釣餌を貫通して釣針ガイドにガイドされた釣針と係合可能なガイド杆４１と、ガイド杆４１に近接配置された押圧部５２を有して、押圧部５２をガイド杆４１に沿って釣針側に移動させる餌移動部材５と、を備える。【選択図】図２
2020058327.tif 000002
【特許請求の範囲】
【請求項１】
先端側に第一挟持部と釣針ガイドとを有する第一挟持部材と、
前記第一挟持部材と基端側を軸にして開閉可能に接続され、先端側に第二挟持部が形成された第二挟持部材と、
前記第一挟持部材と前記第二挟持部材との間に配置されて、前記第一挟持部及び前記第二挟持部に挟持された釣餌を保持して前記釣針ガイドにガイドされた釣針と係合するように前進するガイド杆と、
前記ガイド杆に近接配置された押圧部を有して、前記押圧部を前記ガイド杆に沿って前記釣針側に移動させる餌移動部材と、
を備えることを特徴とする釣餌取付具。
【請求項２】
前記ガイド杆の先端には、前記釣針ガイドにガイドされた釣針の先端と係合する開口が形成されることを特徴とする請求項１に記載の釣餌取付具。
【請求項３】
前記第一挟持部は、第二挟持部材側に傾いて配置されたガイド板を有し、
前記釣針ガイドは、前記ガイド板に形成された釣針凹溝を含む、
ことを特徴とする請求項１又は請求項２に記載の釣餌取付具。
【請求項４】
前記ガイド杆は、前記第一挟持部材の外側面に形成されたガイドレールに沿って前後動する第一操作部材と接続され、
前記第一操作部材は前記ガイドレールの前方に形成された傾斜部に沿って移動することにより、前記ガイド杆の先端を前記ガイド板の傾斜に沿って移動させる、
ことを特徴とする請求項３に記載の釣餌取付具。
【請求項５】
前記餌移動部材は、前記ガイドレールにおいて前記第一操作部材の後方側に配置される第二操作部材と接続されることを特徴とする請求項４に記載の釣餌取付具。
【請求項６】
前記第一挟持部は、複数の突起が形成された当接部と、複数の櫛歯を有し、
前記第二挟持部は、複数の突起が形成された当接部と、複数の櫛歯を有する、
ことを特徴とする請求項１乃至請求項５の何れかに記載の釣餌取付具。
【請求項７】
前記第一挟持部材の外側面に形成されたハリスガイドを備え、
前記ハリスガイドは、前記第一挟持部材からの高さが異なる複数段のハリス溝を有する、
ことを特徴とする請求項１乃至請求項６の何れかに記載の釣餌取付具。
【発明の詳細な説明】
【技術分野】
【０００１】  本発明は、魚釣りにおいてミミズやイソメなどの活き餌を釣り針に付ける釣餌取付具に関する。
【背景技術】
【０００２】  魚釣り、特に餌釣りの際には、ミミズやイソメなどの小動物を活きたまま釣り針に刺し留めて使うことが多い。これらの小動物を活きたまま湾曲した釣り針に刺し留める作業は煩雑である。またこれらの小動物を直接に指で触れることに抵抗感を持つ人も多い。従来の方法としてはミミズを手指で掴み、注射針状のパイプでミミズを刺し通し、パイプ先端に釣り針の針部の先端を引っ掛けて、刺し通したミミズを釣り針方向に移動させることにより、釣り針にミミズを貫通させて取り付ける方法（特許文献１参照）がある。またミミズなどを凹面の湾曲した部材に抑え込む方法（特許文献２参照）や活き餌を押さえる餌押さえ板を設ける方法などが知られている（特許文献３参照）。
【先行技術文献】
【特許文献】
【特許文献１】実開平６−５７１７４号公報
【特許文献２】特開２００５−１６８３７３号公報
【特許文献３】特許第６２８１７６６号
【発明の概要】
【発明が解決しようとする課題】
【０００３】  ミミズなどの餌を釣針に付けるために、注射針状のパイプにミミズなどを手指などで摘まんで刺し通す必要があった（特許文献１）。またミミズなどを湾曲した板面に拘束して突き刺す方法（特許文献２）、あるいは押え板で拘束したうえで釣針に刺し留める方法（特許文献３）では、ミミズなどを手指あるいはピンセットなどで摘まみ上げて載置したうえで釣針に刺し通すなど手間を要した。何れの方法を用いても、餌付けの作業は、多くの人にとっては抵抗感のある煩わしい作業であった。本発明はこれらの課題を解決するためのものである。
【課題を解決するための手段】
【０００４】  本発明の釣餌取付具は、先端側に第一挟持部と釣針ガイドとを有する第一挟持部材と、前記第一挟持部材と基端側を軸にして開閉可能に接続され、先端側に第二挟持部が形成された第二挟持部材と、前記第一挟持部材と前記第二挟持部材との間に配置されて、前記第一挟持部及び前記第二挟持部に挟持された釣餌を保持して前記釣針ガイドにガイドされた釣針と係合するように前進するガイド杆と、前記ガイド杆に近接配置された押圧部を有して、前記押圧部を前記ガイド杆に沿って前記釣針側に移動させる餌移動部材と、を備えることを特徴とする。
【発明の効果】
【０００５】  本発明の餌付け具によれば、ミミズやイソメ等の活き餌に直接触れることなく、迅速かつ容易に釣り針に活餌を付けることができる。
【図面の簡単な説明】
【０００６】
【図１】本発明の実施形態の釣餌取付具の第一挟持部材側から見た斜視図である。
【図２】本発明の実施形態の釣餌取付具の第二挟持部材側から見た斜視図である。
【図３】本発明の実施形態の第一挟持部材を内側から見た斜視図である。
【図４】本発明の実施形態の第一挟持部材の内側の構成を示す第二挟持部材側から見た斜視図である。
【図５】本発明の実施形態の第一挟持部材のハリスガイドの構成を示す図である。
【図６】本発明の実施形態の釣餌取付具に釣針をセットした状態を示す図である。
【図７】本発明の実施形態の釣餌取付具が餌を掴んだ状態を示す図である。
【図８】本発明の実施形態の釣餌取付具のガイド杆を前方に移動させた状態を示す図である。
【図９】本発明の実施形態の釣餌取付具が掴んだ餌にガイド杆を刺した状態を示す第一挟持部材の内側から見た側面図である。
【図１０】本発明の実施形態の釣餌取付具の餌移動部材を前方に移動させた状態を示す図である。
【図１１】本発明の実施形態の釣餌取付具が掴んだ餌を釣針に移動させた状態を示す第一挟持部材の内側から見た側面図である。
【図１２】本発明の実施形態の釣餌取付具が掴んだ餌を釣針に移動させた状態を示す第一挟持部材の内側から見た斜視図である。
【図１３】本発明の実施形態の餌を取り付けた釣針を釣餌取付具から外した様子を示す図である。
【図１４】本発明の実施形態の餌を取り付けた釣針を釣餌取付具から外した様子を示す別の図である。
【発明を実施するための形態】
【０００７】  本実施形態の概要について説明する。釣餌取付具１は、ミミズなどの釣餌Ｆを拘束する開閉する櫛歯２３２，３３２を備えた挟持部２３，３３と先端４１ｂに開口を備えたスライドするガイド杆４１と、ガイド杆４１に沿ってその外周をスライドする押圧部５２を備えた餌移動部材５とから構成される。櫛歯２３２，３３２の内側には、拘束した生餌等の釣餌Ｆの脱落を防ぐために複数の突起を表面に備えた当接部２３１，３３１を有する。
【０００８】  櫛歯２３２，３３２の先端には、ガイド杆４１の先端４１ｂの開口に向けて、釣針Ｎの針先を留め置くガイド板２３４が設けられ、ガイド板２３４の外側には釣針ＮのハリスＬを引っ掛けるハリス溝２３３ａ〜２３３ｃのあるハリスガイド２３３が設けられる。ガイド杆４１は、櫛歯２３２，３３２の内側に拘束した釣餌Ｆの径の略中心を貫ぬく。その後、釣針Ｎの針先がガイド杆４１の先端４１ｂの開口に挿し込まれる軌道で先端のガイド板２３４よりも前方側へ突出するまでスライドし、かつ押圧部５２がガイド杆４１の外周に沿ってガイド板２３４よりも前方側へ突出するまでスライドする。これにより、使用者は釣餌Ｆを直接触ることなく容易に釣餌Ｆを釣針Ｎに取り付けることができる。
【０００９】  次に、本実施形態の具体的構成について図を用いて説明する。図１及び図２は釣餌取付具１の斜視図である。釣餌取付具１は、第一挟持部材２及び第二挟持部材３を備える。また、図３は、釣餌取付具１の第一挟持部材２を内側から見た斜視図についても示している。なお、以下の説明においては、第一挟持部材２及び第二挟持部材３の基端２ａ，３ａ側を後ろ、その反対側である先端２ｂ，３ｂ側を前とする。また、図１の上側を上、その反対側を下とする。
【００１０】  第一挟持部材２及び第二挟持部材３は、基端２ａ，３ａ側にそれぞれ略円筒状の回動軸２１及び回動軸３１を備えており、各回動軸２１，３１に設けられた軸受けに軸心が挿通されることにより、基端２ａ，３ａ側を軸に開閉可能に接続される。第一挟持部材２及び第二挟持部材３は、基端２ａ，３ａ側の内側において図示しない圧縮コイルばね、ねじりコイルばね、板ばね等の弾発部材を第一挟持部材２及び第二挟持部材３を開方向に付勢するように配置している。
【００１１】  本実施形態では、弾発部材としてねじりコイルばねを使用しており、第一挟持部材２の基端２ａ側の内面に設けられた矩形状ブロック内の係合孔２ａ１（図２参照）と、第二挟持部材３の基端側３ａの内面に設けられた矩形状ブロック内の係合孔３ａ１（図１参照）に、ねじりコイルばねの両端をそれぞれ挿入させて、第一挟持部材２及び第二挟持部材３を開方向に付勢させることができる。弾発部材が圧縮コイルばねや板ばねである場合は、圧縮コイルばね又は板ばねの一端側を第一挟持部材２の基端２ａ側の内面に当接させ、他端側を第二挟持部材３の基端３ａ側の内面に当接させて、第一挟持部材２及び第二挟持部材３を開方向に付勢させることができる。
【００１２】  第一挟持部材２及び第二挟持部材３は、図１及び図２に示すように、長尺の略矩形板状に形成される。第一挟持部材２の中央側には操作部２２が形成され、第一挟持部材２の先端２ｂ側には第一挟持部２３が形成される。また、第二挟持部材３の中央側には把持部３２が形成され、第二挟持部材３の先端３ｂ側には第二挟持部３３が形成される。
【００１３】  第一挟持部材２の前後方向の略中央側には前後に長尺の長矩形状のスリット２２１が設けられる（図９も参照）。スリット２２１は、第一挟持部材２の内外に亘って貫通している。スリット２２１の両側縁からは外方へ向かって立設する平板状のガイドレール２２２が形成される。ガイドレール２２２は第一挟持部材２の基端２ａ側に設けられる。ガイドレール２２２は、略全長に亘って略一定の高さとなるように形成される。またガイドレール２２２は、後方端側（基端２ａ側）に凸円弧状に傾斜して第一挟持部材２の外面と接続される傾斜部２２２ａを有し、前方端側（先端２ｂ側）に略直線状に傾斜する傾斜部２２２ｂを有する。図１に示すように、スリット２２１の前端側の両側縁において、ガイドレール２２２は終端としており配置されていない。
【００１４】  第一挟持部２３は、第二挟持部３３と対向する内側に形成された当接部２３１（図２参照）と、当接部２３１の両側から上下に延設された櫛歯２３２と、第一挟持部材２の外面から立設するハリスガイド２３３とを有する。
【００１５】  当接部２３１は、櫛歯２３２の基端部の間に設けられた前後に長尺の領域である。当接部２３１には釣餌Ｆ（図７等参照）を把持した際に滑り止めとして機能する複数の突起が形成される。また、当接部２３１の前端には、長矩形板状のガイド板２３４が設けられる。ガイド板２３４は、第二挟持部材３側に傾いて配置される。また、ガイド板２３４の第二挟持部材３側の面には、釣針ガイドとして機能する凹円弧状の釣針凹溝２３４ａが前後方向に亘って設けられている。釣針凹溝２３４ａ内には、釣針Ｎ（図６等参照）の先端付近を係合させて釣針を安定配置させることができる。
【００１６】  櫛歯２３２は、前方から見て略直角三角形の板状に形成される。各櫛歯２３２は、その先端が基端側よりも第二挟持部３３側に位置するように配置される。本実施形態の第一挟持部２３は、合計８枚の櫛歯２３２が４枚ずつ当接部２３１に対して上下対称となるように配置される。
【００１７】  ハリスガイド２３３は、全体が略四角柱状に形成される。ハリスガイド２３３には上下方向に複数段のハリス溝２３３ａ〜２３３ｃが形成される。図５に示すように、ハリス溝２３３ａ〜２３３ｃは釣糸を掛止できるように第一挟持部材２からの高さすなわち溝深さが異なる複数の切り込み状に形成される。例えば、ハリス溝２３３ａは第一挟持部材２からの高さが一番低く設定すなわち溝深さが一番浅く設定されており、隣のハリス溝２３３ｂはハリス溝２３３ａよりも第一挟持部材２からの高さが高く設定すなわち溝深さが深く設定されている。さらに隣のハリス溝２３３ｃはハリス溝２３３ｂよりも第一挟持部材２からの高さが高く設定すなわち溝深さが深く設定されている。
【００１８】  第二挟持部材３の両側縁からは外方へ向かって立設する平板状の支持板３２１が離間して２枚形成される。支持板３２１は、第二挟持部材３の前後方向の略中央であって、平面視においてガイドレール２２２と前後位置が略同じとなる位置に配置される。支持板３２１は、略全長に亘って第二挟持部材３からの高さが略一定となるように形成される。また、支持板３２１は、後方側（基端３ａ側）に凸円弧状に傾斜して第二挟持部材３の外面と接続される傾斜部３２１ａを有し、前方端側（先端３ｂ側）にも凸湾曲状に傾斜して第二挟持部材３の外面と接続される傾斜部３２１ｂを有する。
【００１９】  第二挟持部３３は、第一挟持部２３と対向する内側に形成された当接部３３１（図１参照）と、当接部３３１の両側から上下に延設された櫛歯３３２とを有する。当接部３３１は、櫛歯３３２の基端部の間に設けられた前後に長尺の領域である。当接部３３１には、当接部２３１と同様に釣餌Ｆを把持した際に滑り止めとして機能する複数の突起が形成される。
【００２０】  櫛歯３３２は、略直角台形状の４枚の櫛歯３３２ａと、ホームベース状の略五角形の４枚の櫛歯３３２ｂとを含んで形成される。各櫛歯３３２ａ，３３２ｂは、その先端が基端側よりも第一挟持部２３側に位置するように上下に拡開して配置される。櫛歯３３２ａは、前方から見て上方に二枚、下方に二枚延設される。櫛歯３３２ａはそれぞれ略斜め４５度に傾斜して延設される。櫛歯３３２ｂは、櫛歯３３２ａの前方側に配置されており、前方から見て上方に二枚、下方に二枚延設される。櫛歯３３２ｂはそれぞれ略斜め４５度に向かって延設される。従って第二挟持部３３は、合計４枚の櫛歯３３２ａが２枚ずつ当接部３３１に対して上下対称となるように形成され、合計４枚の櫛歯３３２ｂが２枚ずつ当接部３３１に対して上下対称となるように形成される。
【００２１】  また、第一挟持部２３の櫛歯２３２と、第二挟持部３３の櫛歯３３２とは、第一挟持部材２と第二挟持部材３を閉じると交互に交差するように前後にずれて配置される（図７等も参照）。
【００２２】  当接部３３１の前端には、長矩形板状のガイド板３３３が設けられる。ガイド板３３３は、第一挟持部材２側に傾いて配置される。ガイド板３３３はガイド板２３４よりも短く形成されており、ガイド板３３３の先端はガイド板２３４の先端よりも後方側に配置される（図７参照）。
【００２３】  図２に示すように、第一挟持部材２と第二挟持部材３との間には、第一挟持部材２の先端２ｂ側及び基端２ａ側に前後動可能な、餌ガイド部材４と餌移動部材５とが設けられる。
【００２４】  餌ガイド部材４は、第一挟持部２３及び第二挟持部３３で挟んだミミズやゴカイ等の釣餌Ｆの略中心に刺さるように前後動し、釣餌Ｆの位置を支持するガイド杆４１を有する。本実施形態のガイド杆４１は、金属等の細い円筒パイプ状に形成され、前方の先端４１ｂに釣針Ｎの先端Ｎ１と係合する開口を備える。ガイド杆４１は、例えば、注射針状のパイプとすることができ、先端４１ｂに注射針状に斜めに傾斜した傾斜カット面を設けてもよい。ガイド杆４１の先端４１ｂ側は、第一挟持部材２の内面から略Ｖ字状に立設する摺動ガイド２４により上下の揺動が規制される。なお、第二挟持部材３の内面からも、摺動ガイド２４に対向するようにＶ字状突起３４が形成される。
【００２５】  第一挟持部材２は、内面側におけるスリット２２１の後方に、前後に長尺の直方体状の摺動支持部材２５を有する。摺動支持部材２５は、前後に貫通するガイド孔２５１を有する。ガイド孔２５１は、左右方向つまり第一挟持部材２側と第二挟持部材３側の方向（第一挟持部材２側の内面側から第二挟持部材３側の内面側に至る方向）を長尺方向とした断面視略長孔状に形成される。これにより、ガイド杆４１は、左右方向つまり第一挟持部材２側と第二挟持部材３側の方向の揺動を可能とされながら前後に摺動することができる。但し、ガイド杆４１の左右方向つまり第一挟持部材２側と第二挟持部材３側の方向の揺動は、後述するように、第一操作部材４２とガイドレール２２２との係合位置に応じて規制される。なお、ガイド孔２５１は、前端側ほど長尺方向の内径を大きくし、後端側ほど長尺方向の内径を小さく（すなわち円形状に近くなるように）して内径を連続的に変化させることができ、ガイド杆４１が前方側に移動するほどその揺動量を大きく設定することができる。
【００２６】  ガイド杆４１は、第一挟持部材２の外側面側に配置される第一操作部材４２と接続される。第一操作部材４２は、断面視略Ｔ字ブロック状に形成される。第一操作部材４２とガイド杆４１とは短円柱状の連結杆４３により接続される（図２参照）。第一操作部材４２は、スリット２２１に挿通される。図１の状態では、第一操作部材４２は上下のガイドレール２２２間に配置されている。第一操作部材４２は両ガイドレール２２２側に延設される鍔部４２１を有する。鍔部４２１はガイドレール２２２の端縁上に係合して、ガイド杆４１が第二挟持部材３側へ移動することを規制している。また、第一操作部材４２の露出面側（第一挟持部材２の外面側）には指等で前後操作する際の滑り止めとなる凹凸が設けられる。
【００２７】  餌移動部材５は、ガイド杆４１と略平行に隣接配置された長尺棒状の支持杆５１と、支持杆５１の前端に設けられた円環状の押圧部５２と、押圧部５２よりも後方側において支持杆５１と連結される第二操作部材５３と、を有する。本実施形態の押圧部５２は、中央側に前後に貫通する貫通孔５２１を有しており、この貫通孔５２１にはガイド杆４１が挿通されてガイド杆４１の外周に近接配置される（図４参照）。
【００２８】  第二操作部材５３は、第一操作部材４２と同様に、断面視略Ｔ字ブロック状に形成される。第二操作部材５３は、支持杆５１の後端と支持駒５４を介して接続される。第二操作部材５３は、第一操作部材４２の後方側においてスリット２２１に挿通される。図１の状態では、第二操作部材５３は上下のガイドレール２２２の間に配置されている。第二操作部材５３は両ガイドレール２２２側に延設される鍔部５３１を有する。鍔部５３１はガイドレール２２２の端縁上に係合している。また、第二操作部材５３の露出面側（第一挟持部材２の外面側）には指等で前後操作する際の滑り止めとなる凹凸が設けられる。
【００２９】  餌移動部材５は、餌ガイド部材４に沿って相対的に前後動することができる。餌移動部材５の後方側への移動は第二操作部材５３がスリット２２１の後端内縁と当接することにより規制され、餌移動部材５の前方側への移動は第二操作部材５３が第一操作部材４２に当接することにより規制される。一方、餌ガイド部材４の後方側への移動は第一操作部材４２が第二操作部材５３と当接することにより規制され、餌ガイド部材４の前方側への移動は第一操作部材４２がスリット２２１の前端内縁と当接することにより規制される。
【００３０】  次に、本実施形態の釣餌取付具１の使用例について図６〜図１４
を用いて説明する。まず、図６で、ハリスＬを付けた釣針Ｎを、釣針凹溝２３４ａに係合させる。このとき、第一操作部材４２と第二操作部材５３は後方側に位置している。ハリスＬをハリスガイド２３３に設けられたいずれかのハリス溝２３３ａ〜２３３ｃに対して基端２ａ側に若干の張力を持たせて引っ張りながら係合させると、釣針Ｎ及びハリスＬは、第一挟持部材２に対して固定される。ハリス溝２３３ａ〜２３３ｃの高さすなわち溝深さはそれぞれ異なっているため、ハリスＬは、釣針Ｎの先端Ｎ１がガイド杆４１に対して略平行に対向する角度となるように、係合させるハリス溝２３３ａ〜２３３ｃを選択して調整することができる。図６では、ハリス溝２３３ａにハリスＬを係合させている。
【００３１】  図７で、使用者はガイドレール２２２及び支持板３２１を把持して第一挟持部材２と第二挟持部材３を閉じて、第一挟持部２３及び第二挟持部３３により釣餌Ｆを挟持させる。釣餌Ｆは、当接部２３１，３３１に左右から挟持される。このとき、釣餌Ｆは当接部２３１，３３１に設けられた複数の突起により前後方向への滑落が防止される。また、第一挟持部材２と第二挟持部材３を閉じると、櫛歯２３２と櫛歯３３２は交互に交差するように噛み合うため、釣餌Ｆの上下が閉塞される。そのため、釣餌Ｆは上下左右にも動きが規制されて挟持される。本実施形態のように第一挟持部材２及び第二挟持部材３を構成することにより、釣餌Ｆが生餌であっても使用者の手を煩わすことなく釣餌Ｆを確実に掴むことができる。
【００３２】  図８で、第一操作部材４２をガイドレール２２２の前方側にスライドさせて傾斜部２２２ａの手前まで移動させる。すると、図９に示すように、ガイド杆４１が前方に移動して、釣餌Ｆの胴体を貫通保持する。ガイド杆４１をさらに前進させると、ガイド杆４１の先端４１ｂに設けた開口内に釣針Ｎの先端Ｎ１が係合し、ガイド杆４１と釣針Ｎが前後方向に略直線状に接続される。
【００３３】  図１０に示す第二操作部材５３をガイドレール２２２の前方側にスライドさせると、図１１に示すように押圧部５２がガイド杆４１に沿って釣針Ｎ側に移動しこれによって押圧された釣餌Ｆがガイド杆４１に沿って前方の釣針Ｎ側へ移動する。このとき、ガイド杆４１と釣針Ｎは略直線状に接続されているため、釣餌Ｆはガイド杆４１の先端４１ｂから円滑に釣針Ｎ側へ移行する。第二操作部材５３の前方への移動は第一操作部材４２に当接することにより規制されるため、押圧部５２はガイド杆４１の先端４１ｂよりも前方へ移動しないように規制される。すなわち、第一操作部材４２からガイド杆４１の先端４１ｂまでの長さは、第二操作部材５３から押圧部５２までの長さよりも長く形成される。
【００３４】  また、図１０に示すように、第二操作部材５３をさらに前方側にスライドさせると、第一操作部材４２が傾斜部２２２ｂに沿って前方へ移動する。第一操作部材４２が傾斜部２２２ｂを移動するとき、ガイド杆４１の先端４１ｂは、第二挟持部３３側へ傾斜したガイド板２３４の板面に沿って移動する。
【００３５】  従って、図１２に示すように、釣針Ｎの先端は、ガイド杆４１の開口に係合したまま第一挟持部材２の前端側であって第二挟持部３３側の斜め方向に押圧されて、釣針ＮはハリスＬの張力に抗して釣針凹溝２３４ａから外れる。ガイド杆４１の先端４１ｂは、ガイド板２３４よりも前方側へ移動するため、釣針Ｎの先端Ｎ１位置もガイド板２３４の前方側へ移動させることができる。
【００３６】  そして、ハリスＬをハリスガイド２３３から取り外すと、図１３及び図１４に示すように釣針Ｎが釣餌取付具１から取り外すことができ、釣餌Ｆを手で直接触ることなく釣針Ｎに取り付けることができる。なお、摺動支持部材２５のガイド孔２５１は、左右方向つまり第一挟持部材２側と第二挟持部材３側の方向（第一挟持部材２側の内面側から第二挟持部材３側の内面側に至る方向）を長尺方向とした断面視略長孔状に形成されているため、図１３に示すように、ガイド杆４１とともに釣針Ｎが釣針凹溝２３４ａから外れたときには、ガイド杆４１が釣針凹溝２３４ａから第二狭持部材３側に傾斜するように離間させてその軌道をずらすことができる。摺動支持部材２５のガイド孔２５１は、図１３に示すガイド杆４１の傾斜角度に対応して前後方向に傾斜するように設けることとしてもよい。
【符号の説明】
【００３７】１        釣餌取付具                    ２        第一挟持部材
２ａ      基端                          ２ａ１    係合孔
２ｂ      先端                          ３        第二挟持部材
３ａ      基端側                        ３ａ      基端
３ａ１    係合孔                        ３ｂ      先端
４        餌ガイド部材                  ５        餌移動部材
２１      回動軸                        ２２      操作部
２３      第一挟持部                    ２４      摺動ガイド
２５      摺動支持部材                  ３１      回動軸
３２      把持部                        ３３      第二挟持部
３４      Ｖ字状突起                    ４１      ガイド杆
４１ｂ    先端                          ４２      第一操作部材
４３      連結杆                        ５１      支持杆
５２      押圧部                        ５３      第二操作部材
５４      支持駒
２２１    スリット                      ２２２    ガイドレール
２２２ａ  傾斜部                        ２２２ｂ  傾斜部
２３１    当接部                        ２３２    櫛歯
２３３    ハリスガイド                  ２３３ａ  ハリス溝
２３３ｂ  ハリス溝                      ２３３ｃ  ハリス溝
２３４    ガイド板                      ２３４ａ  釣針凹溝
２５１    ガイド孔                      ３２１    支持板
３２１ａ  傾斜部                        ３２１ｂ  傾斜部
３３１    当接部                        ３３２    櫛歯
３３２ａ  櫛歯                          ３３２ｂ  櫛歯
３３３    ガイド板                      ４２１    鍔部
５２１    貫通孔                        ５３１    鍔部
Ｆ        釣餌                          ４１      ガイド杆
Ｌ        ハリス                        Ｎ        釣針
Ｎ１      先端
【図１】
2020058327.tif 000003
【図２】
2020058327.tif 000004
【図３】
2020058327.tif 000005
【図４】
2020058327.tif 000006
【図５】
2020058327.tif 000007
【図６】
2020058327.tif 000008
【図７】
2020058327.tif 000009
【図８】
2020058327.tif 000010
【図９】
2020058327.tif 000011
【図１０】
2020058327.tif 000012
【図１１】
2020058327.tif 000013
【図１２】
2020058327.tif 000014
【図１３】
2020058327.tif 000015
【図１４】
2020058327.tif 000016
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
先端側に第一挟持部と釣針ガイドとを有する第一挟持部材と、前記第一挟持部材と基端側を軸にして開閉可能に接続され、先端側に第二挟持部が形成された第二挟持部材と、
前記第一挟持部材と前記第二挟持部材との間に配置されて、前記第一挟持部及び前記第二挟持部に挟持された釣餌を貫通して前記釣針ガイドにガイドされた釣針と係合するように前進するガイド杆と、前記ガイド杆に近接配置された押圧部を有して、前記押圧部を前記ガイド杆に沿って前記釣針側に移動させる餌移動部材と、を備えることを特徴とする釣餌取付具。
【請求項２】
前記ガイド杆の先端には、前記釣針ガイドにガイドされた釣針の先端と係合する開口が形成されることを特徴とする請求項１に記載の釣餌取付具。
【請求項３】
前記第一挟持部は、第二挟持部材側に傾いて配置されたガイド板を有し、
前記釣針ガイドは、前記ガイド板に形成された釣針凹溝を含む、
ことを特徴とする請求項１又は請求項２に記載の釣餌取付具。
【請求項４】
前記ガイド杆は、前記第一挟持部材の外側面に形成されたガイドレールに沿って前後動する第一操作部材と接続され、
前記第一操作部材は前記ガイドレールの前方に形成された傾斜部に沿って移動することにより、前記ガイド杆の先端を前記ガイド板の傾斜に沿って移動させる、
ことを特徴とする請求項３に記載の釣餌取付具。
【請求項５】
前記餌移動部材は、前記ガイドレールにおいて前記第一操作部材の後方側に配置される第二操作部材と接続されることを特徴とする請求項４に記載の釣餌取付具。
【請求項６】
前記第一挟持部は、複数の突起が形成された当接部と、複数の櫛歯を有し、
前記第二挟持部は、複数の突起が形成された当接部と、複数の櫛歯を有する、
ことを特徴とする請求項１乃至請求項５の何れかに記載の釣餌取付具。
【請求項７】
前記第一挟持部材の外側面に形成されたハリスガイドを備え、前記ハリスガイドは、釣針に繋がるハリスを掛止して、釣針の先端がガイド杆先端の開口に係合するように前記釣針の先端の位置を調整できる、溝深さが異なる複数段のハリス溝を有することを特徴とする請求項１乃至請求項６の何れかに記載の釣餌取付具。
【手続補正２】
【補正対象書類名】明細書
【補正対象項目名】０００４
【補正方法】変更
【補正の内容】
【０００４】  本発明の釣餌取付具は、先端側に第一挟持部と釣針ガイドとを有する第一挟持部材と、前記第一挟持部材と基端側を軸にして開閉可能に接続され、先端側に第二挟持部が形成された第二挟持部材と、前記第一挟持部材と前記第二挟持部材との間に配置されて、前記第一挟持部及び前記第二挟持部に挟持された釣餌を貫通して前記釣針ガイドにガイドされた釣針と係合するように前進するガイド杆と、前記ガイド杆に近接配置された押圧部を有して、前記押圧部を前記ガイド杆に沿って前記釣針側に移動させる餌移動部材と、を備えることを特徴とする。
【手続補正３】
【補正対象書類名】明細書
【補正対象項目名】００３２
【補正方法】変更
【補正の内容】
【００３２】  図８で、第一操作部材４２をガイドレール２２２の前方側にスライドさせて傾斜部２２２ａの手前まで移動させる。すると、図９に示すように、ガイド杆４１が前方に移動して、釣餌Ｆの胴体を貫通する。ガイド杆４１をさらに前進させると、ガイド杆４１の先端４１ｂに設けた開口内に釣針Ｎの先端Ｎ１が係合し、ガイド杆４１と釣針Ｎが前後方向に略直線状に接続される。